(57)【要約】  高速ダウンリンク共有チャンネルを確立する方法は、ノードＢと端末との間で高速ダウンリンク共有チャンネルを確立するようにＲＮＣがノードＢに指示するステップと、ＲＮＣの指示に応答して、ノードＢが事前に設定された高速ダウンリンク共有チャンネル物理層カテゴリを使用して端末との間で高速ダウンリンク共有チャンネルを確立するステップと、端末がＲＮＣとの間で無線資源制御接続を確立し、現在の高速ダウンリンク共有チャンネル物理層カテゴリに関する情報をＲＮＣに返信するステップと、ＲＮＣが端末の現在の高速ダウンリンク共有チャンネル物理層カテゴリが事前に設定された高速ダウンリンク共有チャンネル物理層カテゴリと同一であるか否かを判断し、同一でない場合、端末の現在の高速ダウンリンク共有チャンネル物理層カテゴリを使用して端末との間で高速ダウンリンク共有チャンネルを再確立するようにノードＢに指示するステップとを有する。
2010502052.tif 000002
【特許請求の範囲】
【請求項１】
高速ダウンリンク共有チャンネルを確立する方法であって、以下の、
Ｓ６０２：ノードＢと端末との間で高速ダウンリンク共有チャンネルを確立するように、ＲＮＣが前記ノードＢに対して指示するステップと、
Ｓ６０４：前記ＲＮＣの指示に応答して、前記ノードＢが、事前に設定された高速ダウンリンク共有チャンネル物理層カテゴリを使用することによって、前記ノードＢと前記端末との間で高速ダウンリンク共有チャンネルを確立するステップと、
Ｓ６０６：前記端末が、前記端末と前記ＲＮＣとの間で無線資源制御接続を確立すると共に、前記端末の現在の高速ダウンリンク共有チャンネル物理層カテゴリに関する情報を前記ＲＮＣに対して返信するステップと、
Ｓ６０８：前記ＲＮＣが、前記端末の現在の高速ダウンリンク共有チャンネル物理層カテゴリが事前に設定された高速ダウンリンク共有チャンネル物理層カテゴリと同一であるか否かを判断すると共に、もしそれらが同一ではないならば、前記端末の現在の高速ダウンリンク共有チャンネル物理層カテゴリを使用することによって、前記ノードＢと前記端末との間で高速ダウンリンク共有チャンネルを再確立するように、前記ＲＮＣが前記ノードＢに対して指示するステップと
を有することを特徴とする高速ダウンリンク共有チャンネルを確立する方法。
【請求項２】
前記ステップＳ６０８が、以下の、
Ｓ６０８２ａ：前記ＲＮＣが、前記端末の現在の高速ダウンリンク共有チャンネル物理層カテゴリが事前に設定された高速ダウンリンク共有チャンネル物理層カテゴリと同一であるか否かを判断するステップと、
Ｓ６０８４ａ：もしそれらが同一ではないならば、前記ノードＢと前記端末との間で高速ダウンリンク共有チャンネルを再確立するように、前記ＲＮＣが前記ノードＢに対して指示するステップと、
Ｓ６０８６ａ：前記ＲＮＣの指示に応答して、前記ノードＢが、前記端末の現在の高速ダウンリンク共有チャンネル物理層カテゴリを使用することによって、前記ノードＢと前記端末との間で高速ダウンリンク共有チャンネルを確立するステップと
を有することを特徴とする請求項１に記載の高速ダウンリンク共有チャンネルを確立する方法。
【請求項３】
前記ステップＳ６０８が、以下の、
Ｓ６０８２ｂ：前記ＲＮＣが、前記端末の現在の高速ダウンリンク共有チャンネル物理層カテゴリが事前に設定された高速ダウンリンク共有チャンネル物理層カテゴリと同一であるか否かを判断するステップと、
Ｓ６０８４ｂ：もしそれらが同一ではないならば、前記ノードＢと前記端末との間で高速ダウンリンク共有チャンネルを再確立する準備を行うように、前記ＲＮＣが前記ノードＢに対して指示するステップと、
Ｓ６０８６ｂ：前記ＲＮＣの指示に応答して、前記ＲＮＣによって定められた時刻が到来するときに、前記ノードＢが、前記端末の現在の高速ダウンリンク共有チャンネル物理層カテゴリを使用することによって、前記ノードＢと前記端末との間で高速ダウンリンク共有チャンネルを確立するステップと
を有することを特徴とする請求項１に記載の高速ダウンリンク共有チャンネルを確立する方法。
【請求項４】
事前に設定された高速ダウンリンク共有チャンネル物理層カテゴリが、前記ノードＢに既定値として設定されるか、または前記ＲＮＣによってノードＢに設定される
ことを特徴とする請求項１から請求項３のいずれか一項に記載の高速ダウンリンク共有チャンネルを確立する方法。
【請求項５】
事前に設定された高速ダウンリンク共有チャンネル物理層カテゴリが、高速ダウンリンク共有チャンネルの１２個の物理層カテゴリの内のいずれか１つである
ことを特徴とする請求項４に記載の高速ダウンリンク共有チャンネルを確立する方法。
【請求項６】
高速ダウンリンク共有チャンネルを確立するシステムであって、
ノードＢと端末との間で高速ダウンリンク共有チャンネルを確立するように前記ノードＢに対して指示するために、ＲＮＣ側に配置される第１の指示装置と、
前記第１の指示装置の指示に応答して、事前に設定された高速ダウンリンク共有チャンネル物理層カテゴリを使用することによって、前記ノードＢと前記端末との間で高速ダウンリンク共有チャンネルを確立するために、前記ノードＢ側に配置される第１の確立装置と、
前記端末と前記ＲＮＣとの間で無線資源制御接続を確立すると共に、前記端末の現在の高速ダウンリンク共有チャンネル物理層カテゴリに関する情報を前記ＲＮＣに対して返信するために、前記端末側に配置される第２の確立装置と、
前記ＲＮＣが、前記端末の現在の高速ダウンリンク共有チャンネル物理層カテゴリが事前に設定された高速ダウンリンク共有チャンネル物理層カテゴリと同一でないと判断する状況下において、前記ＲＮＣの指示に応答して、前記端末の現在の高速ダウンリンク共有チャンネル物理層カテゴリを使用することによって、前記ノードＢと前記端末との間で高速ダウンリンク共有チャンネルを再確立するために、前記ノードＢ側に配置される第３の確立装置と
を備えることを特徴とする高速ダウンリンク共有チャンネルを確立するシステム。
【請求項７】
前記端末の現在の高速ダウンリンク共有チャンネル物理層カテゴリが事前に設定された高速ダウンリンク共有チャンネル物理層カテゴリと同一であるか否かを判断するために、前記ＲＮＣ側に配置される第１の比較装置と、
もし前記端末の現在の高速ダウンリンク共有チャンネル物理層カテゴリが事前に設定された高速ダウンリンク共有チャンネル物理層カテゴリと同一でない場合、前記ノードＢと前記端末との間で高速ダウンリンク共有チャンネルを再確立するように前記ノードＢに対して指示するために、前記ＲＮＣ側に配置される再確立指示装置と
を更に備えることを特徴とする請求項６に記載の高速ダウンリンク共有チャンネルを確立するシステム。
【請求項８】
前記端末の現在の高速ダウンリンク共有チャンネル物理層カテゴリが事前に設定された高速ダウンリンク共有チャンネル物理層カテゴリと同一であるか否かを判断するために、前記ＲＮＣ側に配置される第２の比較装置と、
もし前記端末の現在の高速ダウンリンク共有チャンネル物理層カテゴリが事前に設定された高速ダウンリンク共有チャンネル物理層カテゴリと同一でない場合、前記ノードＢと前記端末との間で高速ダウンリンク共有チャンネルを再確立する準備を行うように前記ノードＢに対して指示するために、前記ＲＮＣ側に配置される準備指示装置と
を更に備えることを特徴とする請求項６に記載の高速ダウンリンク共有チャンネルを確立するシステム。
【請求項９】
事前に設定された高速ダウンリンク共有チャンネル物理層カテゴリが、前記ノードＢに既定値として設定されるか、または前記ＲＮＣによってノードＢに設定される
ことを特徴とする請求項６から請求項８のいずれか一項に記載の高速ダウンリンク共有チャンネルを確立するシステム。
【請求項１０】
事前に設定された高速ダウンリンク共有チャンネル物理層カテゴリが、高速ダウンリンク共有チャンネルの１２個の物理層カテゴリの内のいずれか１つである
ことを特徴とする請求項９に記載の高速ダウンリンク共有チャンネルを確立するシステム。
【発明の詳細な説明】
【技術分野】
【０００１】
本発明は、通信分野に関係すると共に、更に具体的には、高速ダウンリンク共有チャンネルを確立するための方法及びシステムに関係する。
【背景技術】
【０００２】
無線通信システムへの高速ダウンリンクパケットアクセス属性の導入は、ダウンリンクパケットデータのスループットを非常に増加させると共に、無線通信システムの開発において鍵となる新しい特徴になる。新しいタイプのチャンネル（高速ダウンリンク共有チャンネル）は、ダウンリンクパケットデータを伝送するために、高速ダウンリンクパケットアクセスに使用される。
【発明の概要】
【発明が解決しようとする課題】
【０００３】
高速ダウンリンク共有チャンネルの物理層によってサポートされた高速ダウンリンク共有チャンネルの最大のデータ転送速度、最小の伝送時間間隔、及び最大の受信符号語に従って、端末の高速ダウンリンクパケットアクセス属性は、相互に異なる１２個のカテゴリに分類され得ると共に、６４個のカテゴリを含むように予約され、それらは、高速ダウンリンク共有チャンネル物理層カテゴリパラメータによって説明されて区別されると共に、端末の機能の内の１つに属する。高速ダウンリンク共有チャンネルの物理層の１２個のカテゴリ、及びそれらの対応する物理層情報は、以下の表１に言及される。
【０００４】
【表１】
2010502052.tif 000003
【０００５】
端末のユニークな機能属性である高速ダウンリンク共有チャンネルの物理層は、ノードＢ（Node B）と端末との間の高速ダウンリンクパケットアクセス属性の正しい確立と使用を保証するために、ノードＢが高速ダウンリンク共有チャンネルを使用する端末の能力を明確に知ることを可能にするように、適切な方法においてノードＢに通知されるべきである。
【０００６】
信号を伝送するための無線ベアラが、高速ダウンリンク共有チャンネルに割り当てられ得ると共に、高速ダウンリンクパケットアクセス属性を使用することによってデータを送信することは、プロトコルにおいて明確に許可されている。現存するプロトコルにおいて、信号を伝送するための無線ベアラを高速ダウンリンク共有チャンネルに割り当てる手順は、図１に示されたように、以下のステップを有する。
【０００７】
Ｓ１０２：端末は、無線資源制御接続確立要求通知（radio resource control connection establishment request signaling）を無線ネットワークコントローラ（ＲＮＣ）に対して送信する。この通知において、高速ダウンリンクパケットアクセス属性を表すタグ情報が、高速ダウンリンクパケットアクセス属性に関するただ１つの情報として使用され得る。
【０００８】
Ｓ１０４：ＲＮＣは、端末が高速ダウンリンクパケットアクセス属性を使用していると判定し、高速ダウンリンク共有チャンネルに無線ベアラを割り当てる。ＲＮＣは、無線リンク確立要求通知（radio link establishment request signaling）をノードＢに対して送信し、高速ダウンリンク共有チャンネルを確立するようにノードＢに通知する。この通知において、ＲＮＣは、ノードＢに対して、高速ダウンリンク共有チャンネル物理層カテゴリパラメータを含む、高速ダウンリンク共有チャンネルの確立に関するパラメータを設定する必要がある。
【０００９】
Ｓ１０６：ノードＢは、高速ダウンリンク共有チャンネルを首尾よく確立した後、無線リンク確立応答（radio link establishment response）をＲＮＣに対して返信する。
【００１０】
Ｓ１０８：ＲＮＣは、高速ダウンリンクパケットアクセス属性を使用して接続を確立するように、無線資源制御接続確立通知（radio resource control connection establishment signaling）によって端末に対して続いて通知する。
【００１１】
Ｓ１１０：端末は、ＲＮＣの指示による高速ダウンリンクパケットアクセス属性を使用して接続を確立する。首尾よい確立の後で、端末は、無線資源制御接続確立完了通知（radio resource control connection establishment completion signaling）をＲＮＣに対して返信する。この通知において、端末は、高速ダウンリンク共有チャンネル物理層カテゴリパラメータを含む、それ自身の全ての端末機能情報を、ＲＮＣに対して提示する。ＲＮＣは、後の使用のために、その情報を保存する。
【００１２】
Ｓ１１２：ダウンリンクデータは、高速ダウンリンクパケットアクセス属性を使用することによって首尾よく確立された接続状態にある端末とノードＢとの間で伝送される。
【００１３】
ＲＮＣが端末から高速ダウンリンク共有チャンネル物理層カテゴリパラメータを獲得するステップは、ＲＮＣがノードＢに対してパラメータを設定するステップより更に遅い、ということが上述の手順から分かり得る。それは、パラメータを獲得せずに、ＲＮＣがノードＢに対してパラメータを設定できないと共に、ノードＢが対応する高速ダウンリンク共有チャンネル資源を確立できないことを意味する。プロトコルは、この機能を許可するが、それは、その機能を実行するための実行可能な手法を全く提供しない。
【課題を解決するための手段】
【００１４】
上述の１つ以上の問題を考慮して、本発明は、高速ダウンリンク共有チャンネルを確立するための方法及びシステムを開示する。
【００１５】
本発明による高速ダウンリンク共有チャンネルを確立する方法は、以下の、Ｓ６０２：ノードＢと端末との間で高速ダウンリンク共有チャンネルを確立するように、ＲＮＣが前記ノードＢに対して指示するステップと、Ｓ６０４：前記ＲＮＣの指示に応答して、前記ノードＢが、事前に設定された高速ダウンリンク共有チャンネル物理層カテゴリを使用することによって、前記ノードＢと前記端末との間で高速ダウンリンク共有チャンネルを確立するステップと、Ｓ６０６：前記端末が、前記端末と前記ＲＮＣとの間で無線資源制御接続を確立すると共に、前記端末の現在の高速ダウンリンク共有チャンネル物理層カテゴリに関する情報を前記ＲＮＣに対して返信するステップと、Ｓ６０８：前記ＲＮＣが、前記端末の現在の高速ダウンリンク共有チャンネル物理層カテゴリが事前に設定された高速ダウンリンク共有チャンネル物理層カテゴリと同一であるか否かを判断すると共に、もしそれらが同一ではないならば、前記端末の現在の高速ダウンリンク共有チャンネル物理層カテゴリを使用することによって、前記ノードＢと前記端末との間で高速ダウンリンク共有チャンネルを再確立するように、前記ＲＮＣが前記ノードＢに対して指示するステップとを有する。
【００１６】
前記ステップＳ６０８は、以下の、Ｓ６０８２ａ：前記ＲＮＣが、前記端末の現在の高速ダウンリンク共有チャンネル物理層カテゴリが事前に設定された高速ダウンリンク共有チャンネル物理層カテゴリと同一であるか否かを判断するステップと、Ｓ６０８４ａ：もしそれらが同一ではないならば、前記ノードＢと前記端末との間で高速ダウンリンク共有チャンネルを再確立するように、前記ＲＮＣが前記ノードＢに対して指示するステップと、Ｓ６０８６ａ：前記ＲＮＣの指示に応答して、前記ノードＢが、前記端末の現在の高速ダウンリンク共有チャンネル物理層カテゴリを使用することによって、前記ノードＢと前記端末との間で高速ダウンリンク共有チャンネルを確立するステップとを有する。
【００１７】
代りに、前記ステップＳ６０８は、以下の、Ｓ６０８２ｂ：前記ＲＮＣが、前記端末の現在の高速ダウンリンク共有チャンネル物理層カテゴリが事前に設定された高速ダウンリンク共有チャンネル物理層カテゴリと同一であるか否かを判断するステップと、Ｓ６０８４ｂ：もしそれらが同一ではないならば、前記ノードＢと前記端末との間で高速ダウンリンク共有チャンネルを再確立する準備を行うように、前記ＲＮＣが前記ノードＢに対して指示するステップと、Ｓ６０８６ｂ：前記ＲＮＣの指示に応答して、前記ＲＮＣによって定められた時刻が到来するときに、前記ノードＢが、前記端末の現在の高速ダウンリンク共有チャンネル物理層カテゴリを使用することによって、前記ノードＢと前記端末との間で高速ダウンリンク共有チャンネルを確立するステップとを有する。
【００１８】
事前に設定された高速ダウンリンク共有チャンネル物理層カテゴリは、前記ノードＢに既定値として設定されるか、または前記ＲＮＣによってノードＢに設定される。事前に設定された高速ダウンリンク共有チャンネル物理層カテゴリは、高速ダウンリンク共有チャンネルの１２個の物理層カテゴリの内のいずれか１つである。
【００１９】
本発明による高速ダウンリンク共有チャンネルを確立するシステムは、ノードＢと端末との間で高速ダウンリンク共有チャンネルを確立するように前記ノードＢに対して指示するために、ＲＮＣ側に配置される第１の指示装置と、前記第１の指示装置の指示に応答して、事前に設定された高速ダウンリンク共有チャンネル物理層カテゴリを使用することによって、前記ノードＢと前記端末との間で高速ダウンリンク共有チャンネルを確立するために、前記ノードＢ側に配置される第１の確立装置と、前記端末と前記ＲＮＣとの間で無線資源制御接続を確立すると共に、前記端末の現在の高速ダウンリンク共有チャンネル物理層カテゴリに関する情報を前記ＲＮＣに対して返信するために、前記端末側に配置される第２の確立装置と、前記ＲＮＣが、前記端末の現在の高速ダウンリンク共有チャンネル物理層カテゴリが事前に設定された高速ダウンリンク共有チャンネル物理層カテゴリと同一でないと判断する状況下において、前記ＲＮＣの指示に応答して、前記端末の現在の高速ダウンリンク共有チャンネル物理層カテゴリを使用することによって、前記ノードＢと前記端末との間で高速ダウンリンク共有チャンネルを再確立するために、前記ノードＢ側に配置される第３の確立装置とを備える。
【００２０】
本発明によれば、高速ダウンリンク共有チャンネルを確立するシステムは、前記端末の現在の高速ダウンリンク共有チャンネル物理層カテゴリが事前に設定された高速ダウンリンク共有チャンネル物理層カテゴリと同一であるか否かを判断するために、前記ＲＮＣ側に配置される第１の比較装置と、もし前記端末の現在の高速ダウンリンク共有チャンネル物理層カテゴリが事前に設定された高速ダウンリンク共有チャンネル物理層カテゴリと同一でない場合、前記ノードＢと前記端末との間で高速ダウンリンク共有チャンネルを再確立するように前記ノードＢに対して指示するために、前記ＲＮＣ側に配置される再確立指示装置とを更に備える。
【００２１】
本発明による高速ダウンリンク共有チャンネルを確立するシステムは、前記端末の現在の高速ダウンリンク共有チャンネル物理層カテゴリが事前に設定された高速ダウンリンク共有チャンネル物理層カテゴリと同一であるか否かを判断するために、前記ＲＮＣ側に配置される第２の比較装置と、もし前記端末の現在の高速ダウンリンク共有チャンネル物理層カテゴリが事前に設定された高速ダウンリンク共有チャンネル物理層カテゴリと同一でない場合、前記ノードＢと前記端末との間で高速ダウンリンク共有チャンネルを再確立する準備を行うように前記ノードＢに対して指示するために、前記ＲＮＣ側に配置される準備指示装置とを更に備える。
【００２２】
事前に設定された高速ダウンリンク共有チャンネル物理層カテゴリは、前記ノードＢに既定値として設定されるか、または前記ＲＮＣによってノードＢに設定される。事前に設定された高速ダウンリンク共有チャンネル物理層カテゴリは、高速ダウンリンク共有チャンネルの１２個の物理層カテゴリの内のいずれか１つである。
【００２３】
要約すれば、本発明は、現存するプロトコルにおいて信号を伝送するための無線ベアラを高速ダウンリンク共有チャンネルに割り当てる手順における欠陥、すなわちパラメータを獲得せずに、ＲＮＣがノードＢに関するパラメータを設定できないと共に、ノードＢが対応する高速ダウンリンク共有チャンネル資源を確立できないように、ＲＮＣが端末から高速ダウンリンク共有チャンネル物理層カテゴリパラメータを獲得するステップは、ＲＮＣがノードＢに対してパラメータを設定するステップより更に遅いという欠陥を克服し、本発明は、プロトコルにおいて明確に許可された機能を実行するための実行可能な手法を提供する。
【図面の簡単な説明】
【００２４】
【図１】従来技術において信号を伝送するための無線ベアラを高速ダウンリンク共有チャンネルに割り当てる手順を概略的に示すフローチャートである。
【図２】本発明の第１の実施例による高速ダウンリンク共有チャンネルを確立する方法を概略的に示すフローチャートである。
【図３】本発明の第２の実施例による高速ダウンリンク共有チャンネルを確立する方法を概略的に示すフローチャートである。
【図４】本発明の第３の実施例による高速ダウンリンク共有チャンネルを確立する方法を概略的に示すフローチャートである。
【図５】本発明の第４の実施例による高速ダウンリンク共有チャンネルを確立する方法を概略的に示すフローチャートである。
【図６Ａ】本発明による高速ダウンリンク共有チャンネルを確立する方法を例証するフローチャートである。
【図６Ｂ】本発明による高速ダウンリンク共有チャンネルを確立する方法を例証するフローチャートである。
【図６Ｃ】本発明による高速ダウンリンク共有チャンネルを確立する方法を例証するフローチャートである。
【図７】本発明の実施例による高速ダウンリンク共有チャンネルを確立するシステムを概略的に示す構成図である。
【発明を実施するための形態】
【００２５】
ここで説明された図は、更なる理解を本発明に提供すると共に、それらは本願の一部分になるように構成される。概要の実施例及びそれらの記述は、本発明を説明するのに役立つと共に、それを制限するように方向付けられていない。
【００２６】
本発明の実施例は、以下のとおりに詳細に説明されることになる。
【００２７】
本発明の第１の実施例による高速ダウンリンク共有チャンネルを確立する方法が、図２を参照して説明されることになると共に、図２において示された方法の第２のステージは、再設定に関して同期モードを採用する。図２において示されたように、高速ダウンリンク共有チャンネルを確立する方法は、以下のステップを含む。
【００２８】
Ｓ２０２：“カテゴリ１”が、高速ダウンリンク共有チャンネル物理層カテゴリの最小の容量カテゴリであるように設定される。
【００２９】
Ｓ２０４：端末は、無線資源制御接続確立要求通知（radio resource control connection establishment request signaling）を無線ネットワークコントローラ（ＲＮＣ）に対して送信する。無線資源制御接続確立要求通知は、高速ダウンリンクパケットアクセス属性が使用され得るか否かに関するタグ情報を含むが、しかし、それは、端末の高速ダウンリンク共有チャンネル物理層カテゴリに関する情報を含んでいない。
【００３０】
Ｓ２０６：ＲＮＣは、端末が高速ダウンリンクパケットアクセス属性を使用していると判定し、高速ダウンリンク共有チャンネルに無線ベアラを割り当てる。ＲＮＣは、無線リンク確立要求通知（radio link establishment request signaling）をノードＢに対して送信し、高速ダウンリンク共有チャンネルを確立するようにノードＢに通知する。この通知において、ＲＮＣは、ノードＢに対して高速ダウンリンク共有チャンネルの確立に関するパラメータを設定する。高速ダウンリンク共有チャンネル物理層カテゴリパラメータに関して、ＲＮＣは、ノードＢの設定に関して最小の容量カテゴリである、事前に設定された“カテゴリ１”を使用する。
【００３１】
Ｓ２０８：ノードＢは、高速ダウンリンク共有チャンネルを首尾よく確立した後、無線リンク確立応答通知（radio link establishment response signaling）をＲＮＣに対して返信する。
【００３２】
Ｓ２１０：ＲＮＣは、高速ダウンリンクパケットアクセス属性を使用して接続を確立するように、無線資源制御接続確立通知（radio resource control connection establishment signaling）を介して端末に対して続いて通知する。
【００３３】
Ｓ２１２：端末は、ＲＮＣの指示による高速ダウンリンクパケットアクセス属性を使用することによって、接続を確立する。首尾よい確立の後で、端末は、無線資源制御接続確立完了通知（radio resource control connection establishment completion signaling）をＲＮＣに対して返信する。この通知において、端末は、（現在の高速ダウンリンク共有チャンネル物理層カテゴリパラメータを含む）それ自身の全ての端末機能情報を、ＲＮＣに対して提示する。
【００３４】
Ｓ２１４：データは、“カテゴリ１”によって定義された高速ダウンリンク共有チャンネル物理層カテゴリ資源により、高速ダウンリンクパケットアクセス属性を使用することによって首尾よく確立された接続状態にある端末とノードＢとの間で伝送される。
【００３５】
ＲＮＣは、端末の現在の高速ダウンリンク共有チャンネル物理層カテゴリパラメータが、ノードＢに既に設定された高速ダウンリンク共有チャンネル物理層カテゴリパラメータと同一であるか否かを判断する。もしそれらが同一ではないならば、ステップＳ２１６に進むと共に、もしそれらが同一であるならば、再設定を実行することは必要ではない、とＲＮＣは判断する。
【００３６】
Ｓ２１６：ＲＮＣは、率先的に、即座に再設定手順を開始し、無線リンク再設定準備通知（radio link reconfiguration preparation signaling）をノードＢに対して送信すると共に、ノードＢに対して、通知によって端末の現在の高速ダウンリンク共有チャンネル物理層カテゴリパラメータを伝送し再設定する。
【００３７】
Ｓ２１８：ノードＢは、ＲＮＣの指示による高速ダウンリンクパケットアクセス属性を使用することによって、再設定を実施すると共に、端末の現在の高速ダウンリンク共有チャンネル物理層カテゴリに従って、使用されるべき資源を定義する準備を行う。ノードＢは、無線リンク再設定準備完了通知（radio link reconfiguration preparation completion signaling）をＲＮＣに対して返信する。
【００３８】
Ｓ２２０：ＲＮＣは、新しい設定が無線リンク再設定提示通知（radio link reconfiguration submission signaling）を介して発効されると共に、再設定手順が終了する時刻を、ノードＢに通知する。時刻が到来するとき、ノードＢは新しい設定を有効にする。
【００３９】
Ｓ２２２：データは、端末の現在の高速ダウンリンク共有チャンネル物理層カテゴリによって定義された資源により、高速ダウンリンクパケットアクセス属性を使用することによって首尾よく確立された接続状態にある端末とノードＢとの間で伝送される。
【００４０】
本発明の第２の実施例による高速ダウンリンク共有チャンネルを確立する方法が、図３を参照して説明されることになると共に、図３において示された方法の第２のステージは、再設定に関して非同期モードを採用する。図３において示されたように、高速ダウンリンク共有チャンネルを確立する方法は、以下のステップを含む。
【００４１】
Ｓ３０２：“カテゴリ１”が、高速ダウンリンク共有チャンネル物理層カテゴリの最小の容量カテゴリであるように設定される。
【００４２】
Ｓ３０４：端末は、無線資源制御接続確立要求通知をＲＮＣに対して送信する。無線資源制御接続確立要求通知は、高速ダウンリンクパケットアクセス属性が使用され得るか否かに関するタグ情報を含むが、しかし、それは、端末の高速ダウンリンク共有チャンネル物理層カテゴリに関する情報を含んでいない。
【００４３】
Ｓ３０６：ＲＮＣは、端末が高速ダウンリンクパケットアクセス属性を使用していると判定し、高速ダウンリンク共有チャンネルに無線ベアラを割り当てる。ＲＮＣは、無線リンク確立通知をノードＢに対して送信し、高速ダウンリンク共有チャンネル資源を確立するようにノードＢに通知する。この通知において、ＲＮＣは、ノードＢに対して高速ダウンリンク共有チャンネルの確立に関するパラメータを設定する。高速ダウンリンク共有チャンネル物理層カテゴリパラメータに関して、ＲＮＣは、ノードＢの設定に関する最小の容量カテゴリである、事前に設定された“カテゴリ１”を使用する。
【００４４】
Ｓ３０８：ノードＢは、高速ダウンリンク共有チャンネルを首尾よく確立した後、無線リンク確立応答通知をＲＮＣに対して返信する。
【００４５】
Ｓ３１０：ＲＮＣは、高速ダウンリンクパケットアクセス属性を使用して接続を確立するように、無線資源制御接続確立通知を介して端末に対して続いて通知する。
【００４６】
Ｓ３１２：端末は、ＲＮＣの指示による高速ダウンリンクパケットアクセス属性を使用することによって、接続を確立する。首尾よい確立の後で、端末は、無線資源制御接続確立完了通知をＲＮＣに対して返信する。この通知において、端末は、（現在の高速ダウンリンク共有チャンネル物理層カテゴリパラメータを含む）それ自身の全ての端末機能情報を、ＲＮＣに対して提示する。
【００４７】
Ｓ３１４：データは、“カテゴリ１”によって定義された高速ダウンリンク共有チャンネル物理層カテゴリ資源により、高速ダウンリンクパケットアクセス属性を使用することによって首尾よく確立された接続状態にある端末とノードＢとの間で伝送される。
【００４８】
ＲＮＣは、端末の現在の高速ダウンリンク共有チャンネル物理層カテゴリパラメータが、ノードＢに既に設定された高速ダウンリンク共有チャンネル物理層カテゴリパラメータと同一であるか否かを判断する。もしそれらが同一ではないならば、ステップＳ３１６に進むと共に、もしそれらが同一であるならば、再設定を実行することは必要ではない、とＲＮＣは判断する。
【００４９】
Ｓ３１６：ＲＮＣは、率先的に、即座に再設定手順を開始し、無線リンク再設定要求通知（radio link reconfiguration request signaling）をノードＢに対して送信すると共に、ノードＢに対して、通知によって端末の現在の高速ダウンリンク共有チャンネル物理層カテゴリパラメータを伝送し再設定する。
【００５０】
Ｓ３１８：ノードＢは、ＲＮＣの指示による高速ダウンリンクパケットアクセス属性を使用することによって、再設定を実施すると共に、端末の現在の高速ダウンリンク共有チャンネル物理層カテゴリに従って、使用されるべき資源を定義する。ノードＢは、無線リンク再設定応答通知（radio link reconfiguration response signaling）をＲＮＣに対して返信すると共に、即座に新しい設定を有効にする。そして、再設定手順は終了する。
【００５１】
Ｓ３２０：データは、端末の現在の高速ダウンリンク共有チャンネル物理層カテゴリによって定義された資源により、高速ダウンリンクパケットアクセス属性を使用することによって首尾よく確立された接続状態にある端末とノードＢとの間で伝送される。
【００５２】
本発明の第３の実施例による高速ダウンリンク共有チャンネルを確立する方法が、図４を参照して説明されることになると共に、図４において示された方法の第２のステージは、再設定に関して非同期モードを採用する。図４において示されたように、高速ダウンリンク共有チャンネルを確立する方法は、以下のステップを含む。
【００５３】
Ｓ４０２：“カテゴリ１”が、高速ダウンリンク共有チャンネル物理層カテゴリの最小の容量カテゴリであるように設定される。
【００５４】
Ｓ４０４：端末は、無線資源制御接続確立要求通知をＲＮＣに対して送信する。無線資源制御接続確立要求通知は、高速ダウンリンクパケットアクセス属性が使用され得るか否かに関するタグ情報を含むが、しかし、それは、端末の高速ダウンリンク共有チャンネル物理層カテゴリに関する情報を含んでいない。
【００５５】
Ｓ４０６：ＲＮＣは、端末が高速ダウンリンクパケットアクセス属性を使用していると判定し、高速ダウンリンク共有チャンネルに無線ベアラを割り当てる。ＲＮＣは、無線リンク確立通知をノードＢに対して送信し、高速ダウンリンク共有チャンネル資源を確立するようにノードＢに通知する。この通知において、高速ダウンリンク共有チャンネル物理層カテゴリパラメータに関する情報は伝送されない。
【００５６】
Ｓ４０８：ノードＢは、高速ダウンリンク共有チャンネルを首尾よく確立した後、無線リンク確立応答通知をＲＮＣに対して返信する。ノードＢは、通知が高速ダウンリンク共有チャンネル物理層カテゴリパラメータに関する情報を全く伝送しないことが分かるので、ノードＢは、資源をセットアップするために、既定値として設定される最小の容量カテゴリである“カテゴリ１”を使用する。
【００５７】
Ｓ４１０：ＲＮＣは、高速ダウンリンクパケットアクセス属性を使用して接続を確立するように、無線資源制御接続確立通知を介して端末に対して続いて通知する。
【００５８】
Ｓ４１２：端末は、ＲＮＣの指示による高速ダウンリンクパケットアクセス属性を使用することによって、接続を確立する。首尾よい確立の後で、端末は、無線資源制御接続確立完了通知をＲＮＣに対して返信する。この通知において、端末は、（現在の高速ダウンリンク共有チャンネル物理層カテゴリパラメータを含む）それ自身の全ての端末機能情報を、ＲＮＣに対して提示する。
【００５９】
Ｓ４１４：データは、“カテゴリ１”によって定義された高速ダウンリンク共有チャンネル物理層カテゴリ資源により、高速ダウンリンクパケットアクセス属性を使用することによって首尾よく確立された接続状態にある端末とノードＢとの間で伝送される。
【００６０】
ＲＮＣは、端末の現在の高速ダウンリンク共有チャンネル物理層カテゴリパラメータが、ノードＢに既に設定された高速ダウンリンク共有チャンネル物理層カテゴリパラメータと同一であるか否かを判断する。もしそれらが同一ではないならば、ステップＳ４１６に進むと共に、もしそれらが同一であるならば、再設定を実行することは必要ではない、とＲＮＣは判断する。
【００６１】
Ｓ４１６：ＲＮＣは、率先的に、即座に再設定手順を開始し、無線リンク再設定要求通知（radio link reconfiguration request signaling）をノードＢに対して送信すると共に、ノードＢに対して、通知によって端末の現在の高速ダウンリンク共有チャンネル物理層カテゴリパラメータを伝送し再設定する。
【００６２】
Ｓ４１８：ノードＢは、ＲＮＣの指示による高速ダウンリンクパケットアクセス属性を使用することによって、再設定を実施すると共に、端末の現在の高速ダウンリンク共有チャンネル物理層カテゴリに従って、使用されるべき資源を定義する。ノードＢは、無線リンク再設定応答通知（radio link reconfiguration response signaling）をＲＮＣに対して返信すると共に、即座に新しい設定を有効にする。そして、再設定手順は終了する。
【００６３】
Ｓ４２０：データは、端末の現在の高速ダウンリンク共有チャンネル物理層カテゴリによって定義された資源により、高速ダウンリンクパケットアクセス属性を使用することによって首尾よく確立された接続状態にある端末とノードＢとの間で伝送される。
【００６４】
本発明の第４の実施例による高速ダウンリンク共有チャンネルを確立する方法が、図５を参照して説明されることになると共に、図５において示された方法の第２のステージは、再設定に関して同期モードを採用する。図５において示されたように、高速ダウンリンク共有チャンネルを確立する方法は、以下のステップを含む。
【００６５】
Ｓ５０２：端末は、無線資源制御接続確立要求通知をＲＮＣに対して送信する。無線資源制御接続確立要求通知は、高速ダウンリンクパケットアクセス属性が使用され得るか否かに関するタグ情報を含むが、しかし、それは、端末の高速ダウンリンク共有チャンネル物理層カテゴリに関する情報を含んでいない。
【００６６】
Ｓ５０４：ＲＮＣは、端末が高速ダウンリンクパケットアクセス属性を使用していると判定し、無線リンク確立通知をノードＢに対して送信し、高速ダウンリンク共有チャンネル資源を確立するようにノードＢに通知する。高速ダウンリンク共有チャンネル物理層カテゴリパラメータに関して、ＲＮＣは、任意に高速ダウンリンク共有チャンネルの１２個の物理層カテゴリの情報の内のいずれか１つをノードＢに対して設定する。
【００６７】
Ｓ５０６：ノードＢは、高速ダウンリンク共有チャンネルを首尾よく確立した後、無線リンク確立応答通知をＲＮＣに対して返信すると共に、ここで、ノードＢは、資源をセットアップするために、ＲＮＣによって設定された高速ダウンリンク共有チャンネル物理層カテゴリを使用する。
【００６８】
Ｓ５０８：ＲＮＣは、高速ダウンリンクパケットアクセス属性を使用して接続を確立するように、無線資源制御接続確立通知を介して端末に対して続いて通知する。
【００６９】
Ｓ５１０：端末は、ＲＮＣの指示による高速ダウンリンクパケットアクセス属性を使用することによって、接続を確立する。首尾よい確立の後で、端末は、それによって端末の現在の高速ダウンリンク共有チャンネル物理層カテゴリパラメータが伝送される無線資源制御接続確立完了通知をＲＮＣに対して返信する。
【００７０】
Ｓ５１２：データは、ＲＮＣにより設定された高速ダウンリンク共有チャンネル物理層カテゴリ資源によって定義された資源により、高速ダウンリンクパケットアクセス属性を使用することによって首尾よく確立された接続状態にある端末とノードＢとの間で伝送される。
【００７１】
ＲＮＣは、端末の現在の高速ダウンリンク共有チャンネル物理層カテゴリパラメータが、ノードＢに既に設定された高速ダウンリンク共有チャンネル物理層カテゴリパラメータと同一であるか否かを判断する。もしそれらが同一ではないならば、ステップＳ５１４に進むと共に、もしそれらが同一であるならば、再設定を実行することは必要ではない、とＲＮＣは判断する。
【００７２】
Ｓ５１４：ＲＮＣは、再設定を実行するために、それによって端末の現在の高速ダウンリンク共有チャンネル物理層カテゴリパラメータが伝送される再設定通知（reconfiguration signaling）をノードＢに対して送信する。
【００７３】
Ｓ５１６：ノードＢは、ＲＮＣの再設定通知に従い、高速ダウンリンクパケットアクセス属性を使用することによって、再設定を実施すると共に、端末の現在の高速ダウンリンク共有チャンネル物理層カテゴリに従って、使用されるべき資源を定義する。
【００７４】
Ｓ５１８：首尾よい再設定の後に、ノードＢは、ＲＮＣに対して通知をフィードバックする。
【００７５】
要約すると、本発明によれば、高速ダウンリンク共有チャンネルを確立する方法は、（図６Ａに示されたように）以下の、Ｓ６０２：ノードＢと端末との間で高速ダウンリンク共有チャンネルを確立するように、ＲＮＣが前記ノードＢに対して指示するステップと、Ｓ６０４：前記ＲＮＣの指示に応答して、前記ノードＢが、事前に設定された高速ダウンリンク共有チャンネル物理層カテゴリを使用することによって、前記ノードＢと前記端末との間で高速ダウンリンク共有チャンネルを確立するステップと、Ｓ６０６：前記端末が、前記端末と前記ＲＮＣとの間で無線資源制御接続を確立すると共に、前記端末の現在の高速ダウンリンク共有チャンネル物理層カテゴリに関する情報を前記ＲＮＣに対して返信するステップと、Ｓ６０８：前記ＲＮＣが、前記端末の現在の高速ダウンリンク共有チャンネル物理層カテゴリが事前に設定された高速ダウンリンク共有チャンネル物理層カテゴリと同一であるか否かを判断すると共に、もしそれらが同一ではないならば、前記端末の現在の高速ダウンリンク共有チャンネル物理層カテゴリを使用することによって、前記ノードＢと前記端末との間で高速ダウンリンク共有チャンネルを再確立するように、前記ＲＮＣが前記ノードＢに対して指示するステップとを有する。
【００７６】
前記ステップＳ６０８は、（図６Ｂに示されたように）以下の、Ｓ６０８２ａ：前記ＲＮＣが、前記端末の現在の高速ダウンリンク共有チャンネル物理層カテゴリが事前に設定された高速ダウンリンク共有チャンネル物理層カテゴリと同一であるか否かを判断するステップと、Ｓ６０８４ａ：もしそれらが同一ではないならば、前記ノードＢと前記端末との間で高速ダウンリンク共有チャンネルを再確立するように、前記ＲＮＣが前記ノードＢに対して指示するステップと、Ｓ６０８６ａ：前記ＲＮＣの指示に応答して、前記ノードＢが、前記端末の現在の高速ダウンリンク共有チャンネル物理層カテゴリを使用することによって、前記ノードＢと前記端末との間で高速ダウンリンク共有チャンネルを確立するステップとを有する。
【００７７】
代りに、前記ステップＳ６０８は、（図６Ｃに示されたように）以下の、Ｓ６０８２ｂ：前記ＲＮＣが、前記端末の現在の高速ダウンリンク共有チャンネル物理層カテゴリが事前に設定された高速ダウンリンク共有チャンネル物理層カテゴリと同一であるか否かを判断するステップと、Ｓ６０８４ｂ：もしそれらが同一ではないならば、前記ノードＢと前記端末との間で高速ダウンリンク共有チャンネルを再確立する準備を行うように、前記ＲＮＣが前記ノードＢに対して指示するステップと、Ｓ６０８６ｂ：前記ＲＮＣの指示に応答して、前記ＲＮＣによって定められた時刻が到来するときに、前記ノードＢが、前記端末の現在の高速ダウンリンク共有チャンネル物理層カテゴリを使用することによって、前記ノードＢと前記端末との間で高速ダウンリンク共有チャンネルを確立するステップとを有する。
【００７８】
ここで、事前に設定された高速ダウンリンク共有チャンネル物理層カテゴリは、前記ノードＢに既定値として設定され得るか、または前記ＲＮＣによってノードＢに設定され得る。更に、事前に設定された高速ダウンリンク共有チャンネル物理層カテゴリは、高速ダウンリンク共有チャンネルの１２個の物理層カテゴリの内のいずれか１つであり得る。
【００７９】
本発明の一実施例による高速ダウンリンク共有チャンネルを確立するシステムが、図７を参照して説明されることになる。図７において示されたように、高速ダウンリンク共有チャンネルを確立するシステムは、以下の、ノードＢと端末との間で高速ダウンリンク共有チャンネルを確立するように前記ノードＢに対して指示するために、ＲＮＣ側に配置される第１の指示装置７０２と、前記第１の指示装置の指示に応答して、事前に設定された高速ダウンリンク共有チャンネル物理層カテゴリを使用することによって、前記ノードＢと前記端末との間で高速ダウンリンク共有チャンネルを確立するために、前記ノードＢ側に配置される第１の確立装置７０４と、前記端末と前記ＲＮＣとの間で無線資源制御接続を確立すると共に、前記端末の現在の高速ダウンリンク共有チャンネル物理層カテゴリに関する情報を前記ＲＮＣに対して返信するために、前記端末側に配置される第２の確立装置７０６と、前記ＲＮＣが、前記端末の現在の高速ダウンリンク共有チャンネル物理層カテゴリが事前に設定された高速ダウンリンク共有チャンネル物理層カテゴリと同一でないと判断する状況下において、前記ＲＮＣの指示に応答して、前記端末の現在の高速ダウンリンク共有チャンネル物理層カテゴリを使用することによって、前記ノードＢと前記端末との間で高速ダウンリンク共有チャンネルを再確立するために、前記ノードＢ側に配置される第３の確立装置７０８とを備える。
【００８０】
本発明の一実施例による高速ダウンリンク共有チャンネルを確立するシステムは、以下の、前記端末の現在の高速ダウンリンク共有チャンネル物理層カテゴリが事前に設定された高速ダウンリンク共有チャンネル物理層カテゴリと同一であるか否かを判断するために、前記ＲＮＣ側に配置される第１の比較装置と、もし前記端末の現在の高速ダウンリンク共有チャンネル物理層カテゴリが事前に設定された高速ダウンリンク共有チャンネル物理層カテゴリと同一でない場合、前記ノードＢと前記端末との間で高速ダウンリンク共有チャンネルを再確立するように前記ノードＢに対して指示するために、前記ＲＮＣ側に配置される再確立指示装置とを更に備える。
【００８１】
代わりに、本発明の一実施例による高速ダウンリンク共有チャンネルを確立するシステムは、以下の、前記端末の現在の高速ダウンリンク共有チャンネル物理層カテゴリが事前に設定された高速ダウンリンク共有チャンネル物理層カテゴリと同一であるか否かを判断するために、前記ＲＮＣ側に配置される第２の比較装置と、もし前記端末の現在の高速ダウンリンク共有チャンネル物理層カテゴリが事前に設定された高速ダウンリンク共有チャンネル物理層カテゴリと同一でない場合、前記ノードＢと前記端末との間で高速ダウンリンク共有チャンネルを再確立する準備を行うように前記ノードＢに対して指示するために、前記ＲＮＣ側に配置される準備指示装置とを更に備える。
【００８２】
ここで、事前に設定された高速ダウンリンク共有チャンネル物理層カテゴリは、前記ノードＢに既定値として設定され得るか、または前記ＲＮＣによってノードＢに設定され得る。更に、事前に設定された高速ダウンリンク共有チャンネル物理層カテゴリは、高速ダウンリンク共有チャンネルの１２個の物理層カテゴリの内のいずれか１つであり得る。
【００８３】
本発明は、ＲＮＣがノードＢに対して高速ダウンリンク共有チャンネル物理層カテゴリパラメータを設定することができないという問題を解決するために、２つのステージの構成を実施し、その結果、信号を伝送するための無線ベアラを高速ダウンリンク共有チャンネルに割り当てる手順が首尾よく達成され得る。
【００８４】
上述の説明は、本発明を限定するために使用されない、単なる本発明の望ましい実施例である。当業者にとって、本発明は、様々な変更及び変化を有し得る。本発明の精神及び原理の範囲内に存在するあらゆる補正、同等の置換、改善等は、全て、本発明の保護範囲として結論付けられる。
【符号の説明】
【００８５】
７０２    第１の指示装置
７０４    第１の確立装置
７０６    第２の確立装置
７０８    第３の確立装置
【図１】
2010502052.tif 000004
【図２】
2010502052.tif 000005
【図３】
2010502052.tif 000006
【図４】
2010502052.tif 000007
【図５】
2010502052.tif 000008
【図６Ａ】
2010502052.tif 000009
【図６Ｂ】
2010502052.tif 000010
【図６Ｃ】
2010502052.tif 000011
【図７】
2010502052.tif 000012
【国際調査報告】
2010502052.tif 000013
2010502052.tif 000014
2010502052.tif 000015
2010502052.tif 000016